(57)【要約】【課題】使用状況に合わせた態様を可能として使い勝手の向上を図る。【解決手段】前面に表示画面６を有するディスプレイ２と、複数の所定の操作キー１６、１６、・・・が設けられ机上等の載置面１００上に載置された状態で操作キーに対する操作が行われると共にディスプレイの下端部において操作キーが表示画面に離接する方向へヒンジ部８ｂ、１５ａ、１５ａを介して回動自在に支持されたキーボード３と、駆動回路及び制御回路等の各種の回路を有し載置面上に載置されて使用される共にディスプレイの背面５ｃに着脱可能とされた装置本体４とを設けた。【選択図】　　　　　図１０
2004094879.tif 000002
【特許請求の範囲】
【請求項１】
前面に表示画面を有するディスプレイと、
複数の所定の操作キーが設けられ机上等の載置面上に載置された状態で操作キーに対する操作が行われると共にディスプレイの下端部において操作キーが表示画面に離接する方向へヒンジ部を介して回動自在に支持されたキーボードと、
駆動回路及び制御回路等の各種の回路を有し載置面上に載置されて使用される共にディスプレイの背面に着脱可能とされた装置本体とを備えた
ことを特徴とする情報処理装置。
【請求項２】
装置本体とディスプレイとにそれぞれ互いに結合するための本体側結合部とディスプレイ側結合部とを設け、
本体側結合部とディスプレイ側結合部とにそれぞれ装置本体に対するディスプレイの位置決めを行うための位置決め部を設けた
ことを特徴とする請求項１に記載の情報処理装置。
【請求項３】
ディスプレイを装置本体から分離した状態において、キーボードをディスプレイの背面側まで回動可能としキーボードをディスプレイによって遮蔽可能とした
ことを特徴とする請求項１に記載の情報処理装置。
【請求項４】
キーボードをディスプレイの背面側に回動した状態において、キーボードを少なくとも一部が載置面に載置されるスタンドとして用いた
ことを特徴とする請求項３に記載の情報処理装置。
【請求項５】
操作キーを載置面から離間させる離間手段を設けた
ことを特徴とする請求項４に記載の情報処理装置。
【請求項６】
上記ヒンジ部を載置面上に載置し、該ヒンジ部を上記離間手段として用いた
ことを特徴とする請求項５に記載の情報処理装置。
【請求項７】
ディスプレイの背面に回動自在に支持されたスタンド部を設けた
ことを特徴とする請求項１に記載の情報処理装置。
【発明の詳細な説明】
【０００１】
【発明の属する技術分野】
本発明は情報処理装置に関する。詳しくは、キーボードとディスプレイと装置本体とを備えた情報処理装置において、使い勝手の向上を図る技術分野に関する。
【０００２】
【従来の技術】
情報処理装置には、例えば、複数の操作キーが設けられたキーボードと表示画面を有するディスプレイと駆動回路や制御回路等の各種の回路を内部に有する装置本体とを備えたパーソナルコンピュータがある。
【０００３】
このような従来の情報処理装置には、本出願人が出願した特願２１０１−３９３８７８にも示すように、キーボードがディスプレイの下端部において操作キーが表示画面に離接する方向へ回動自在に支持されると共に装置本体がディスプレイの背面に結合されているものがある（非特許文献１参照）。
【０００４】
上記した従来の情報処理装置にあっては、キーボードがディスプレイに回動自在に支持されているため、不使用時に、操作キーが表示画面に対向する状態にディスプレイを折り畳んでおくことにより（特願２１０１−３９３８７８の図３（ｃ）参照）、設置スペースを小さくすることができると共に操作キー及び表示画面への塵埃等の付着を防止することができるという利点がある。
【０００５】
また、ディスプレイと装置本体とが結合されているため、ディスプレイと装置本体とが机や作業台等の載置面上に独立して設置されるタイプの情報処理装置と比較して、設置スペースを小さくすることができる。
【０００６】
さらに、ディスプレイの背面に装置本体が結合されているため、装置本体がディスプレイによって遮蔽され、使用者には装置本体が視認されず、デザイン的に良好なものとなっている。
【０００７】
【非特許文献１】
“「バイオＷ」ＰＣＶ−Ｗ１０１Ａ／Ｗ・Ｗ１０１Ａ／Ｂ”、［ｏｎｌｉｎｅ］、ソニー株式会社、［平成１４年８月２１日検索］、インターネット＜ＵＲＬ：ｈｔｔｐ：／／ｗｗｗ．ｓｏｎｙ．ｊｐ／ｐｒｏｄｕｃｔｓ／Ｃｏｎｓｕｍｅｒ／ＰＣＯＭ／ＰＣＶ−Ｗ１０１Ａ／＞
【０００８】
【発明が解決しようとする課題】
ところが、上記した従来の情報処理装置は、キーボードを支持したディスプレイと装置本体とが結合されているため、例えば、使用状況に応じて設置位置を変更しようとする場合には、情報処理装置の全体を新たな設置位置に移動しなければならず使い勝手が悪いという問題がある。
【０００９】
また、一般に、最も多くの時間を費やす文字情報等の入力操作、各種のソフトウェアの実行等の操作においては、キーボードとディスプレイのみが操作上必要とされるため、装置本体はこのような操作状態においては不必要なものである。従って、操作者に対峙して、又は、操作者の近傍に装置本体が配置されている場合には、装置本体の存在が操作者に違和感や不快感を与えることもある。
【００１０】
さらに、装置本体には各種の記憶媒体等のスロットが形成されているものがあるが、これらの拡張スロットに対する記憶媒体等の出し入れを行うには、手をディスプレイの背面側に回し込んで行わなければならず、面倒であるという問題もある。特に、拡張スロットに対して複数の記憶媒体等を頻繁に出し入れする作業等においては、使い勝手が悪いものとなってしまう。
【００１１】
そこで、本発明情報処理装置は、上記した問題点を克服し、使用状況に合わせた態様を可能として使い勝手の向上を図ることを課題とする。
【００１２】
【課題を解決するための手段】
本発明情報処理装置は、上記した課題を解決するために、前面に表示画面を有するディスプレイと、複数の所定の操作キーが設けられ机上等の載置面上に載置された状態で操作キーに対する操作が行われると共にディスプレイの下端部において操作キーが表示画面に離接する方向へヒンジ部を介して回動自在に支持されたキーボードと、駆動回路及び制御回路等の各種の回路を有し載置面上に載置されて使用される共にディスプレイの背面に着脱可能とされた装置本体とを設けたものである。
【００１３】
従って、本発明情報処理装置にあっては、ディスプレイと装置本体とが結合された状態及び両者が分離された状態の２つの状態における使用が可能となる。
【００１４】
【発明の実施の形態】
以下に、本発明情報処理装置の実施の形態を添付図面に従って説明する。尚、以下に示した実施の形態は、本発明を据置型のパーソナルコンピュータに適用したものである。
【００１５】
情報処理装置（パーソナルコンピュータ）１はディスプレイ２とキーボード３と装置本体４とを備えている（図１参照）。
【００１６】
ディスプレイ２はパネル５と該パネル５の前面５ａに設けられた表示画面６とを有し、パネル５の前面５ａの左右両端部にはそれぞれスピーカー部７、７が設けられている（図１参照）。
【００１７】
パネル５の下縁からは下方へ突出された支持突部８が設けられ、該支持突部８はパネル５の下縁の左右両端部を除く部分に位置されている。支持突部８はパネル５に連続する突出部８ａと該突出部８ａの下縁に連続するヒンジ部８ｂとから成る。
【００１８】
ディスプレイ２の内部には図示しないディスクドライブ部が設けられており、パネル５の右側面５ｂからディスクドライブ部にディスク状記録媒体を装着するためのディスクトレイ９が引出可能とされている（図１乃至図３参照）。
【００１９】
パネル５の背面５ｃには、その上端寄りの位置に第１のディスプレイ側結合部１０が設けられている（図３参照）。第１のディスプレイ側結合部１０は背面５ｃから後方へ突出され、左右方向へ長く形成されている。第１のディスプレイ側結合部１０は下方に開口され、内部が挿入空間１０ａとして形成されている。
【００２０】
第１のディスプレイ側結合部１０の挿入空間１０ａには、左右に離間して位置決め突部１１、１１が設けられている。位置決め突部１１は、パネル５の背面５ｃから後方へ突出された基部１１ａと該基部１１ａの先端縁から下方へ突出された引掛部１１ｂとから成る。
【００２１】
パネル５の背面５ｃには、その下端部に第２のディスプレイ側結合部１２、１２が左右に離間して設けられている（図３参照）。第２のディスプレイ側結合部１２は後方に開口された導入部１２ａと該導入部１２ａに連通し下方に開口された挿入部１２ｂとによって形成されている。
【００２２】
パネル５の背面５ｃには、それぞれ第２のディスプレイ側結合部１２、１２の側方の位置に、後方に開口された逃げ凹部５ｄ、５ｄが形成されている（図３参照）。
【００２３】
パネル５の背面５ｃには、その左右両端部にそれぞれ後方へ突出された支持突部１３、１３が設けられている。支持突部１３、１３には、それぞれ一方向に長い棒状を為すスタンド部１４、１４が上端部を支点として回動自在に支持されている。スタンド部１４、１４は、パネル５に対して、例えば、０°乃至５５°の範囲で回動可能とされている。スタンド部１４、１４の下端面には、例えば、ゴム等の摩擦係数の高い材料から成る滑り防止部１４ａ、１４ａが設けられている。スタンド部１４、１４は、それぞれ支持突部１３、１３に一定のフリクションを有した状態で支持されている。
【００２４】
キーボード３は横長の略矩形状を為す筐体１５に所定の複数の操作キー１６、１６、・・・が配置されて成る（図１参照）。
【００２５】
筐体１５の奥側の端部には、左右に離間してヒンジ部１５ａ、１５ａが一体に設けられている。ヒンジ部１５ａ、１５ａは筐体１５の奥側の端部からそれぞれ略上方へ突出するように設けられている。ヒンジ部１５ａ、１５ａの周面には、例えば、ゴム材料等の摩擦係数の大きな材料によって形成された滑り止め部１７、１７がそれぞれ設けられている。
【００２６】
筐体１５には、操作キー１６、１６、・・・が配置された面と反対側の面にスタビライザー１８、１８が設けられている（図２、図４及び図７参照）。スタビライザー１８、１８はヒンジ部１５ａ、１５ａが設けられた側の端部に左右に離間して設けられ、筐体１５、１５から下方へ突出されている。
【００２７】
キーボード３は、ヒンジ部１５ａ、１５ａがディスプレイ２のヒンジ部８ｂに支持されることにより、ディスプレイ２の下端部を支点としてディスプレイ２に回動自在に支持される（図１参照）。キーボード３はディスプレイ２に対して、キーボード３が閉じられてディスプレイ２に接した後述する状態を０°とすると、例えば、０°乃至２８５°の範囲で回動可能とされている。ヒンジ部１５ａ、１５ａはヒンジ部８ｂに一定のフリクションを有した状態で支持されている。キーボード３がディスプレイ２に回動自在に支持された状態においては、キーボード３のスタビライザー１８、１８の左右方向における位置が、ディスプレイ２の背面５ｃに形成された逃げ凹部５ｄ、５ｄに対応した位置とされる。
【００２８】
装置本体４は本体ユニット１９と載置台２０とから成り（図１、図２及び図５参照）、本体ユニット１９は上端部が略前後方向へ移動する方向へ載置台２０に回動自在に支持されている。載置台２０は、机や作業台等の載置面１００上に載置される（図２参照）。
【００２９】
装置本体４の内部には駆動回路や制御回路等の各種の回路が設けられた図示しないマザーボード及び各種のドライブ機構等が配置されている。
【００３０】
本体ユニット１９は本体部２１と該本体部２１の前面に一体に設けられた結合ベース２２とから成る。
【００３１】
本体部２１の右側面には、拡張スロット２３、２３や各種のコネクター２４、２４、・・・、例えば、ＰＣカードスロット、電源コネクター、オーディオコネクター、電話コネクター、４ピン又は６ピン対応のＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４コネクター、ＵＳＢ（ＵｎｉｖｅｒｓａｌＳｅｒｉａｌ　Ｂｕｓ）コネクター、マウスコネクター等が設けられている。
【００３２】
結合ベース２２は横長の略矩形状を為す平板状に形成され、外形が本体部２１の前面より一回り大きくされている（図５参照）。結合ベース２２の上端部は、ディスプレイ２の上記第１のディスプレイ側結合部１０と結合される第１の本体側結合部２５としての役割を果たす。結合ベース２２の上面には、上方に開口された位置決め凹部２６、２６が左右に離間して形成されている。位置決め凹部２６、２６の横幅は、それぞれディスプレイ２に設けられた位置決め突部１１、１１の引掛部１１ｂ、１１ｂの横幅と略同じか僅かに大きくされている。
【００３３】
結合ベース２２の下端寄りの位置には、前方へ突出された第２の本体側結合部２７、２７が左右に離間して設けられている（図５参照）。第２の本体側結合部２７は結合ベース２２から前方へ突出された支え部２７ａと該支え部２７ａの先端縁から上方へ突出された係合部２７ｂとから成る。第２の本体側結合部２７、２７の係合部２７ｂ、２７ｂの横幅は、それぞれ第２のディスプレイ側結合部１２、１２の導入部１２ａ、１２ａ及び挿入部１２ｂ、１２ｂの横幅と同じか僅かに小さくされている。
【００３４】
載置台２０は本体ユニット１９を支持する台部２０ａと該台部２０ａから後方へ突出された突部２０ｂと台部２０ａの下端部から前方及び側方へ張り出された張出部２０ｃとから成る。
【００３５】
ディスプレイ２と装置本体４とは接続ケーブル２８によって電気的に接続されている。
【００３６】
ディスプレイ２と装置本体４とは着脱可能とされており、以下に、その結合方法及び分離方法について説明する（図６及び図７参照）。
【００３７】
ディスプレイ２と装置本体４との結合は、ディスプレイ２を把持し第１のディスプレイ側結合部１０を第１の本体側結合部２５に上側から嵌め込むと共に第２の本体側結合部２７、２７の係合部２７ｂ、２７ｂをそれぞれ第２のディスプレイ側結合部１２、１２の挿入部１２ｂ、１２ｂに挿入して係合することにより行う（図６及び図７参照）。
【００３８】
第１のディスプレイ側結合部１０を第１の本体側結合部２５に嵌め込むときには、同時に挿入空間１０ａに設けられた位置決め突部１１、１１の引掛部１１ｂ、１１ｂが、それぞれ装置本体４の上面に形成された位置決め凹部２６、２６に挿入されて係合される（図７参照）。
【００３９】
このとき、上記したように、位置決め凹部２６、２６の横幅がそれぞれ位置決め突部１１、１１の引掛部１１ｂ、１１ｂの横幅と略同じか僅かに大きくされており、また、第２の本体側結合部２７、２７の係合部２７ｂ、２７ｂの横幅がそれぞれ第２のディスプレイ側結合部１２、１２の導入部１２ａ、１２ａの横幅と同じか僅かに小さくされているため、ディスプレイ２の装置本体４に対する左右方向における位置決めがされる。従って、これらの位置決め突部１１、１１、位置決め凹部２６、２６、係合部２７ｂ、２７ｂ及び導入部１２ａ、１２ａは、それぞれディスプレイ２と装置本体４との結合に際し両者を位置決めするための位置決め部として機能する。
【００４０】
このようにディスプレイ２と装置本体４とを結合するときに同時にディスプレイ２の装置本体４に対する位置決めが行われるため、両者の位置決めを行ってから結合作業を行う必要がなく、作業が簡単であると共に両者の位置決めを確実に行うことができる。
【００４１】
ディスプレイ２と装置本体４との分離は、ディスプレイ２を把持して上方へ持ち上げるようにし、第１のディスプレイ側結合部１０及び第２の本体側結合部２７、２７の係合部２７ｂ、２７ｂを、それぞれ第１の本体側結合部２５及び第２のディスプレイ側結合部１２、１２から取り外すことにより行う（図６参照）。
【００４２】
以下に、情報処理装置１の使用時又は不使用時における各形態について説明する（図８乃至図１２等参照）。
【００４３】
先ず、ディスプレイ２と装置本体４とを結合した状態における各形態について説明する。
【００４４】
上記のようにディスプレイ２と装置本体４とを結合した状態において、キーボード３を装置本体４に対して開いて載置面１００上に載置することにより、パーソナルコンピュータとしての使用、例えば、操作キー１６、１６、・・・を操作して各種の入力作業、表示画面６を見ながらの表示された画像の編集作業、各種のソフトウェアの実行等を行うことができる（図１及び図２参照）。また、情報処理装置１にあっては、表示装置や音声出力装置としての使用、例えば、ビデオカメラに接続することによる撮影画像の表示、ＤＶＤ（Ｄｉｇｉｔａｌ　Ｖｅｒｓａｔｉｌｅ　Ｄｉｓｃ）等のディスク状記録媒体に記録された画像の表示や音声の出力、テレビ放送の表示等を行うこともできる。
【００４５】
キーボード３を装置本体４に対して開いた状態においては、キーボード３の前端部とスタビライザー１８、１８とが載置面１００に接している（図２参照）。この状態において本体ユニット１９を載置台２０に対して回動することにより、装置本体４に結合されたディスプレイ２はキーボード３に対してヒンジ部８ｂ、１５ａ、１５ａを介して回動され、ディスプレイ２を載置面１００に対して所望の角度に設定することができる。
【００４６】
情報処理装置１にあっては、ディスプレイ２が垂直に位置されている状態を０°とすると、例えば、設定可能な角度が０°から３０°の範囲とされている。
【００４７】
情報処理装置１の不使用時には、キーボード３を装置本体４に対して前方側へ回動し閉じておくことができる（図８参照）。キーボード３が閉じられた状態においては、キーボード３の操作キー１６、１６、・・・とディスプレイ２の表示画面６とが対向した状態とされ、操作キー１６、１６、・・・及び表示画面６への塵埃等の付着を防止することができると共に情報処理装置１の設置スペースを小さくすることができる。
【００４８】
キーボード３を閉じた状態においては、装置本体４の載置台２０のみが載置面１００に接している。
【００４９】
次に、ディスプレイ２と装置本体４とを分離した状態における各形態について説明する。
【００５０】
上記のようにディスプレイ２と装置本体４とを分離した状態において、キーボード３を装置本体４に対して開いて載置面１００上に載置することにより、上記と同様にパーソナルコンピュータ、表示装置及び音声出力装置としての使用等を行うことができる（図９参照）。
【００５１】
キーボード３を装置本体４に対して開いた状態においては、キーボード３の前端部とスタビライザー１８、１８とが載置面１００に接しており、スタンド部１４、１４をパネル５に対して後方側へ回動してディスプレイ２を所定の角度に保持する。このとき、スタンド部１４、１４の下端部には滑り防止部１４ａ、１４ａが設けられているため、スタンド部１４、１４の載置面１００に対する滑りが防止されディスプレイ２の安定した保持状態を確保することができる。
【００５２】
この状態においてパネル５に対してスタンド部１４、１４を回動し、ディスプレイ２をキーボード３に対して回動することにより、ディスプレイ２を載置面１００に対して所望の角度に設定することができる。
【００５３】
情報処理装置１にあっては、ディスプレイ２が垂直に位置されている状態を０°とすると、例えば、設定可能な角度が１０°から３０°の範囲とされている。
【００５４】
このようにディスプレイ２の背面５ｃに回動可能なスタンド部１４、１４を設けることにより、載置面１００に対して所望の角度で配置されたディスプレイ２の安定した保持状態を確保することができる。
【００５５】
情報処理装置１を、例えば、表示装置や音声出力装置として使用する場合には、キーボード３を使用することはない。従って、このような使用の場合には、キーボード３をディスプレイ２の背面５ｃ側に回動して背面５ｃ側にキーボード３を配置することができる（図１０参照）。
【００５６】
キーボード３がディスプレイ２の背面５ｃ側に配置された状態においては、ディスプレイ２のヒンジ部８ｂ及びキーボード３のヒンジ部１５ａ、１５ａとキーボード３の後端部とが載置面１００に接している。このとき、ヒンジ部１５ａ、１５ａには滑り止め部１７、１７が設けられているため、ヒンジ部１５ａ、１５ａの載置面１００に対する滑りが防止されキーボード３の安定した保持状態を確保することができる。
【００５７】
キーボード３がディスプレイ２の背面５ｃ側に配置された状態においては、スタビライザー１８、１８は、その一部がそれぞれディスプレイ２の下端部に形成された逃げ凹部５ｄ、５ｄに挿入されている。
【００５８】
キーボード３がディスプレイ２の背面５ｃ側に配置された状態においては、キーボード３はディスプレイ２を保持するスタンドとして機能し、ディスプレイ２の安定した保持状態を確保することができる。
【００５９】
また、キーボード３をディスプレイ２の背面５ｃ側に回動した状態において、ディスプレイ２とは別に専用のスタンドを必要とせず、部品点数の低減による製造コストの低減を図ることができる。
【００６０】
さらに、キーボード３がディスプレイ２の背面５ｃ側に配置された状態においては、キーボード３がディスプレイ２によって遮蔽され、情報処理装置１を表示装置及び音声出力装置として使用する場合等に使用者にとって不必要なキーボード３が視野に入らず、違和感や不快感なく情報処理装置１を使用することができる。
【００６１】
キーボード３がディスプレイ２の背面５ｃ側に配置された状態において、スタンド部１４、１４のパネル５に対する角度を変更することによりディスプレイ２を載置面１００に対して所望の角度に設定することができる。この場合には、スタンド部１４、１４の下端部を載置面１００に載置してディスプレイ２を保持する。
【００６２】
情報処理装置１にあっては、ディスプレイ２が垂直に位置されている状態を０°とすると、例えば、設定可能な角度が０°から３０°の範囲とされている。
【００６３】
尚、キーボード３がディスプレイ２の背面５ｃ側に配置された状態においては、スタンド部１４、１４を用いずにディスプレイ２を保持することも可能である。この保持は、スタンド部１４、１４をディスプレイ２に接した状態とし、スタビライザー１８、１８をディスプレイ２の背面５ｃに突き当ててディスプレイ２の後方側への倒れを規制することにより行う。
【００６４】
キーボード３がディスプレイ２の背面５ｃ側に配置された状態においては、ヒンジ部１５ａ、１５ａが筐体１５から載置面１００側へ突出されているため、載置面１００とディスプレイ２との間には一定の間隔が形成される（図１１参照）。従って、ヒンジ部１５ａ、１５ａは操作キー１６、１６、・・・を載置面１００から離間させる離間手段としての役割を果たす。
【００６５】
このように情報処理装置１には離間手段が設けられているため、キーボード３がディスプレイ２の背面５ｃ側に配置された状態において、操作キー１６、１６、・・・に対する不必要な操作が行われることがない。
【００６６】
また、離間手段として、キーボード３をディスプレイ２に支持するために必要なヒンジ部１５ａ、１５ａを用いているため、別に専用の離間手段を設ける必要がなく、製造コストの低減を図ることができる。
【００６７】
情報処理装置１の不使用時には、キーボード３を装置本体４に対して前方側へ回動し閉じておくことができる（図１２参照）。キーボード３が閉じられた状態においては、キーボード３の操作キー１６、１６、・・・とディスプレイ２の表示画面６とが対向した状態とされ、操作キー１６、１６、・・・及び表示画面６への塵埃等の付着を防止することができると共に情報処理装置１の設置スペースを小さくすることができる。
【００６８】
尚、ディスプレイ２と装置本体４とを分離した状態における情報処理装置１の不使用時には、キーボード３を閉じた状態でディスプレイ２の表示画面６が載置面１００と対向するようにしてディスプレイ２とキーボード４を倒しておくこともできる。このように倒しておけば、操作キー１６、１６、・・・及び表示画面６に対する塵埃等の付着を効果的に防止することができる。
【００６９】
以上に記載した通り、情報処理装置１にあっては、ディスプレイ２と装置本体４とを分離可能としているため、キーボード３を支持したディスプレイ２と装置本体４とを独立に設置可能であるため、使用状況に応じて使用形態を選択することができ、使い勝手の向上を図ることができる。
【００７０】
また、使用状況によっては不必要となる装置本体４をディスプレイ２とは隔てた位置に設置することが可能であるため、装置本体４の存在を気にすることなく使用することができる。
【００７１】
尚、上記には、ディスプレイ２と装置本体４とが接続ケーブル２８によって接続されている例を示したが、例えば、リモートコントロール装置等を用いて無線により種々の操作を行うようにすることも可能であり、この場合には接続ケーブル２８が不要となる。このように無線による操作を可能とした場合には、キーボード３が支持されたディスプレイ２と装置本体４とのそれぞれの設置位置を無線による操作が可能な範囲までさらに隔てることができ、使い勝手の一層の向上を図ることができる。
【００７２】
また、上記には、本発明をパーソナルコンピュータに適用した例を示したが、本発明は、ワードプロセッサ、ネットワーク端末やワークステーション等の各種の情報処理装置、ＰＤＡ（Ｐａｓｏｎａｌ　Ｄｉｇｉｔａｌ　Ａｓｓｉｓｔａｎｃｅ）等の情報処理装置にも適用することができる。
【００７３】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００７４】
【発明の効果】
以上に記載したところから明らかなように、本発明情報処理装置にあっては、前面に表示画面を有するディスプレイと、複数の所定の操作キーが設けられ机上等の載置面上に載置された状態で操作キーに対する操作が行われると共にディスプレイの下端部において操作キーが表示画面に離接する方向へヒンジ部を介して回動自在に支持されたキーボードと、駆動回路及び制御回路等の各種の回路を有し載置面上に載置されて使用される共にディスプレイの背面に着脱可能とされた装置本体とを備えたことを特徴とする。
【００７５】
従って、キーボードが支持されたディスプレイと装置本体とを独立に設置可能であるため、使用状況に応じて使用形態を選択することができ、使い勝手の向上を図ることができる。
【００７６】
また、使用状況によっては不必要となる装置本体をディスプレイとは隔てた位置に設置することが可能であるため、装置本体の存在を気にすることなく使用することができる。
【００７７】
請求項２に記載した発明にあっては、装置本体とディスプレイとにそれぞれ互いに結合するための本体側結合部とディスプレイ側結合部とを設け、本体側結合部とディスプレイ側結合部とにそれぞれ装置本体に対するディスプレイの位置決めを行うための位置決め部を設けたので、ディスプレイと装置本体とを結合するときに同時にディスプレイの装置本体に対する左右方向における位置決めが行われ、両者の位置決めを行ってから結合作業を行う必要がなく作業が簡単であると共に両者の位置決めを確実に行うことができる。
【００７８】
請求項３に記載した発明にあっては、ディスプレイを装置本体から分離した状態において、キーボードをディスプレイの背面側まで回動可能としキーボードをディスプレイによって遮蔽可能としたので、情報処理装置を表示装置や音声出力装置として使用する場合等に使用者にとって不必要なキーボードが視野に入らず、違和感なく情報処理装置を使用することができる。
【００７９】
請求項４に記載した発明にあっては、キーボードをディスプレイの背面側に回動した状態において、キーボードを少なくとも一部が載置面上に載置されるスタンドとして用いたので、ディスプレイの安定した保持状態を確保することができる。
【００８０】
また、キーボードをディスプレイの背面側に回動した状態において、ディスプレイとは別に専用のスタンドを必要とせず、部品点数の低減による製造コストの低減を図ることができる。
【００８１】
請求項５に記載した発明にあっては、操作キーを載置面から離間させる離間手段を設けたので、キーボードがディスプレイの背面側に配置された状態において、操作キーに対する不必要な操作を防止することができる。
【００８２】
請求項６に記載した発明にあっては、上記ヒンジ部を載置面上に載置し、該ヒンジ部を上記離間手段として用いたので、別に専用の離間手段を設ける必要がなく、製造コストの低減を図ることができる。
【００８３】
請求項７に記載した発明にあっては、ディスプレイの背面に回動自在に支持されたスタンド部を設けたので、載置面に対して所望の角度で配置されたディスプレイの安定した保持状態を確保することができる。
【図面の簡単な説明】
【図１】図２乃至図１２と共に本発明情報処理装置の実施の形態を示すものであり、本図はディスプレイと装置本体とが結合された状態の情報処理装置を示す斜視図である。
【図２】ディスプレイと装置本体とが結合された状態の情報処理装置を示す側面図である。
【図３】ディスプレイの背面側を示す斜視図である。
【図４】キーボードのヒンジ部及びスタビライザーを示す拡大斜視図である。
【図５】装置本体の斜視図である。
【図６】各結合部が結合される前の状態を示す断面図である。
【図７】各結合部が結合された状態を示す断面図である。
【図８】ディスプレイと装置本体とが結合された状態において、キーボードを閉じたときの形態を示す斜視図である。
【図９】ディスプレイと装置本体とが分離された状態において、キーボードを開いたときの形態を示す斜視図である。
【図１０】ディスプレイと装置本体とが分離された状態において、キーボードをディスプレイの背面側に配置したときの形態を示す斜視図である。
【図１１】ディスプレイと装置本体とが分離された状態において、キーボードをディスプレイの背面側に配置したときの形態を示す側面図である。
【図１２】ディスプレイと装置本体とが分離された状態において、キーボードを閉じたときの形態を示す斜視図である。
【符号の説明】
１…情報処理装置、２…ディスプレイ、３…キーボード、４…装置本体、５ｃ…背面、６…表示画面、８ｂ…ヒンジ部、１０…第１のディスプレイ側結合部、１１…位置決め突部（位置決め部）、１２…第２のディスプレイ側結合部、１２ａ…導入部（位置決め部）、１４…スタンド部、１５ａ…ヒンジ部（離間手段）、１６…操作キー、２５…第１の本体側結合部、２６…位置決め凹部（位置決め部）、２７…第２の本体側結合部、２７ｂ…係合部（位置決め部）、１００…載置面
【図１】
2004094879.tif 000003
【図２】
2004094879.tif 000004
【図３】
2004094879.tif 000005
【図４】
2004094879.tif 000006
【図５】
2004094879.tif 000007
【図６】
2004094879.tif 000008
【図７】
2004094879.tif 000009
【図８】
2004094879.tif 000010
【図９】
2004094879.tif 000011
【図１０】
2004094879.tif 000012
【図１１】
2004094879.tif 000013
【図１２】
2004094879.tif 000014